(57)【要約】      （修正有）【課題】ハンドオーバ先セルを管理する無線基地局及びハンドオーバ元セルを管理する無線基地局の双方が、異なるゲートウェイ装置に収容されている場合であっても、交換局ハンドオーバが関与するハンドオーバ制御を低減し、ゲートウェイ装置間でハンドオーバ制御を行う。【解決手段】無線基地局ＨｅＮＢ＃１が、ゲートウェイ装置ＨｅＮＢ-ＧＷ＃１に対して、セル＃２を一意に特定可能な「Ｔａｒｇｅｔ  ＣＧＩ」及びセル＃２が属するトラッキングエリアを特定可能な「ＴＡＩ」を含む「ＨＯ  Ｒｅｑｕｅｓｔ」を送信する工程と、ゲートウェイ装置ＨｅＮＢ-ＧＷ＃１が、「ＴＡＩ」に対応するＩＰアドレスによって特定されるゲートウェイ装置ＨｅＮＢ-ＧＷ＃２に対して、「Ｔａｒｇｅｔ  ＣＧＩ」を含む「ＨＯ  Ｒｅｑｕｅｓｔ」を送信する工程とを有する。【選択図】図１
2011120110.tif 000002
【特許請求の範囲】
【請求項１】
第１ゲートウェイ装置に収容されている第１無線基地局配下の第１セルから第２ゲートウェイ装置に収容されている第２無線基地局配下の第２セルに対する移動局のハンドオーバ方法であって、
前記第１無線基地局が、前記第１ゲートウェイ装置に対して、前記第２セルを一意に特定可能なセル識別子及び該第２セルが属するトラッキングエリアを特定可能なトラッキングエリア識別子を含むハンドオーバ要求信号を送信する工程と、
前記第１ゲートウェイ装置が、前記トラッキングエリア識別子に対応するＩＰアドレスによって特定される前記第２ゲートウェイ装置に対して、前記セル識別子を含むハンドオーバ要求信号を送信する工程と、
前記第２ゲートウェイ装置が、前記セル識別子に対応するＩＰアドレスによって特定される前記第２無線基地局に対して、該セル識別子を含むハンドオーバ要求信号を送信する工程とを有することを特徴とするハンドオーバ方法。
【請求項２】
第１ゲートウェイ装置に収容されている第１無線基地局配下の第１セルから第２ゲートウェイ装置に収容されている第２無線基地局配下の第２セルに対する移動局のハンドオーバ方法であって、
前記第１無線基地局が、前記第１ゲートウェイ装置に対して、前記第２セルを一意に特定可能なセル識別子を含むハンドオーバ要求信号を送信する工程と、
前記第１ゲートウェイ装置が、前記セル識別子に対応するＩＰアドレスによって特定される前記第２ゲートウェイ装置に対して、該セル識別子を含むハンドオーバ要求信号を送信する工程と、
前記第２ゲートウェイ装置が、前記セル識別子に対応するＩＰアドレスによって特定される前記第２無線基地局に対して、該セル識別子を含むハンドオーバ要求信号を送信する工程とを有することを特徴とするハンドオーバ方法。
【請求項３】
第１ゲートウェイ装置に収容されている第１無線基地局配下の第１セルから第２ゲートウェイ装置に収容されている第２無線基地局配下の第２セルに対する移動局のハンドオーバ方法において、該第１ゲートウェイ装置として機能するゲートウェイ装置であって、
前記第１無線基地局から、前記第２セルを一意に特定可能なセル識別子及び該第２セルが属するトラッキングエリアを特定可能なトラッキングエリア識別子を含むハンドオーバ要求信号を受信するように構成されている受信部と、
前記トラッキングエリア識別子に対応するＩＰアドレスによって特定される前記第２ゲートウェイ装置に対して、前記セル識別子を含むハンドオーバ要求信号を送信するように構成されている送信部とを具備することを特徴とするゲートウェイ装置。
【請求項４】
第１ゲートウェイ装置に収容されている第１無線基地局配下の第１セルから第２ゲートウェイ装置に収容されている第２無線基地局配下の第２セルに対する移動局のハンドオーバ方法において、該第１ゲートウェイ装置として機能するゲートウェイ装置であって、
前記第１無線基地局から、前記第２セルを一意に特定可能なセル識別子を含むハンドオーバ要求信号を受信するように構成されている受信部と、
前記セル識別子に対応するＩＰアドレスによって特定される前記第２ゲートウェイ装置に対して、前記セル識別子を含むハンドオーバ要求信号を送信するように構成されている送信部とを具備することを特徴とするゲートウェイ装置。
【発明の詳細な説明】
【技術分野】
【０００１】
本発明は、移動通信方法及びゲートウェイ装置に関する。
【背景技術】
【０００２】
ＬＴＥ（Ｌｏｎｇ  Ｔｅｒｍ  Ｅｖｏｌｕｔｉｏｎ）方式の移動通信システムは、１つ又は複数の無線基地局ＨｅＮＢ（Ｈｏｍｅ-ｅＮＢ）を収容可能なゲートウェイ装置ＨｅＮＢ-ＧＷを設けることができるように構成されている。
【先行技術文献】
【非特許文献】
【０００３】
【非特許文献１】３ＧＰＰ  ＴＳ３６.３００（Ｖ９.１.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年９月
【非特許文献２】３ＧＰＰ  ＴＳ３６.４１３（Ｖ９.０.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｘ２  ａｐｐｌｉｃａｔｉｏｎ  ｐｒｏｔｏｃｏｌ  （Ｘ２ＡＰ）」、２００９年９月
【非特許文献３】３ＧＰＰ  ＴＳ３６.４２３（Ｖ９.０.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｘ２  ａｐｐｌｉｃａｔｉｏｎ  ｐｒｏｔｏｃｏｌ  （Ｘ２ＡＰ）」、２００９年９月
【発明の概要】
【発明が解決しようとする課題】
【０００４】
しかしながら、かかる移動通信システムにおいて、ハンドオーバ先セルを管理する無線基地局ＨｅＮＢ及びハンドオーバ元セルを管理する無線基地局ＨｅＮＢの双方が、異なるゲートウェイ装置ＨｅＮＢ-ＧＷに収容されている場合、ハンドオーバに関わる制御信号は、全て交換局ＭＭＥ（Ｍｏｂｉｌｉｔｙ  Ｍａｎａｇｅｍｅｎｔ  Ｅｎｔｉｔｙ）を経由し、「Ｓ１アプリケーションプロトコル（Ａｐｐｌｉｃａｔｉｏｎ  Ｐｒｏｔｏｃｏｌ）」を用いたハンドオーバになるため、交換局ＭＭＥの制御信号の処理負荷を削減することができないという問題点があった。
【０００５】
そこで、本発明は、上述の課題に鑑みてなされたものであり、ハンドオーバ先セルを管理する無線基地局ＨｅＮＢ及びハンドオーバ元セルを管理する無線基地局ＨｅＮＢの双方が、異なるゲートウェイ装置ＨｅＮＢ-ＧＷに収容されている場合であっても、交換局ＭＭＥが関与するハンドオーバ制御を低減し、異なるゲートウェイ装置ＨｅＮＢ-ＧＷ間で直接ハンドオーバ制御を行うことができる移動通信方法及びゲートウェイ装置を提供することを目的とする。
【課題を解決するための手段】
【０００６】
本発明の第１の特徴は、第１ゲートウェイ装置に収容されている第１無線基地局配下の第１セルから第２ゲートウェイ装置に収容されている第２無線基地局配下の第２セルに対する移動局のハンドオーバ方法であって、前記第１無線基地局が、前記第１ゲートウェイ装置に対して、前記第２セルを一意に特定可能なセル識別子及び該第２セルが属するトラッキングエリアを特定可能なトラッキングエリア識別子を含むハンドオーバ要求信号を送信する工程と、前記第１ゲートウェイ装置が、前記トラッキングエリア識別子に対応するＩＰアドレスによって特定される前記第２ゲートウェイ装置に対して、前記セル識別子を含むハンドオーバ要求信号を送信する工程と、前記第２ゲートウェイ装置が、前記セル識別子に対応するＩＰアドレスによって特定される前記第２無線基地局に対して、該セル識別子を含むハンドオーバ要求信号を送信する工程とを有することを要旨とする。
【０００７】
本発明の第２の特徴は、第１ゲートウェイ装置に収容されている第１無線基地局配下の第１セルから第２ゲートウェイ装置に収容されている第２無線基地局配下の第２セルに対する移動局のハンドオーバ方法であって、前記第１無線基地局が、前記第１ゲートウェイ装置に対して、前記第２セルを一意に特定可能なセル識別子を含むハンドオーバ要求信号を送信する工程と、前記第１ゲートウェイ装置が、前記セル識別子に対応するＩＰアドレスによって特定される前記第２ゲートウェイ装置に対して、該セル識別子を含むハンドオーバ要求信号を送信する工程と、前記第２ゲートウェイ装置が、前記セル識別子に対応するＩＰアドレスによって特定される前記第２無線基地局に対して、該セル識別子を含むハンドオーバ要求信号を送信する工程とを有することを要旨とする。
【０００８】
本発明の第３の特徴は、第１ゲートウェイ装置に収容されている第１無線基地局配下の第１セルから第２ゲートウェイ装置に収容されている第２無線基地局配下の第２セルに対する移動局のハンドオーバ方法において、該第１ゲートウェイ装置として機能するゲートウェイ装置であって、前記第１無線基地局から、前記第２セルを一意に特定可能なセル識別子及び該第２セルが属するトラッキングエリアを特定可能なトラッキングエリア識別子を含むハンドオーバ要求信号を受信するように構成されている受信部と、前記トラッキングエリア識別子に対応するＩＰアドレスによって特定される前記第２ゲートウェイ装置に対して、前記セル識別子を含むハンドオーバ要求信号を送信するように構成されている送信部とを具備することを要旨とする。
【０００９】
本発明の第４の特徴は、第１ゲートウェイ装置に収容されている第１無線基地局配下の第１セルから第２ゲートウェイ装置に収容されている第２無線基地局配下の第２セルに対する移動局のハンドオーバ方法において、該第１ゲートウェイ装置として機能するゲートウェイ装置であって、前記第１無線基地局から、前記第２セルを一意に特定可能なセル識別子を含むハンドオーバ要求信号を受信するように構成されている受信部と、前記セル識別子に対応するＩＰアドレスによって特定される前記第２ゲートウェイ装置に対して、前記セル識別子を含むハンドオーバ要求信号を送信するように構成されている送信部とを具備することを要旨とする。
【発明の効果】
【００１０】
以上説明したように、本発明によれば、ハンドオーバ先セルを管理する無線基地局ＨｅＮＢ及びハンドオーバ元セルを管理する無線基地局ＨｅＮＢの双方が、異なるゲートウェイ装置ＨｅＮＢ-ＧＷに収容されている場合であっても、交換局ＭＭＥが関与するハンドオーバ制御を低減し、異なるゲートウェイ装置ＨｅＮＢ-ＧＷ間でハンドオーバ制御を行うことができる移動通信方法及びゲートウェイ装置を提供することができる。
【図面の簡単な説明】
【００１１】
【図１】本発明の第１の実施形態に係る移動通信システムの全体構成図である。
【図２】本発明の第１の実施形態に係るゲートウェイ装置の機能ブロック図である。
【図３】本発明の第１の実施形態に係る移動通信システムで送信される「Ｈａｎｄｏｖｅｒ  Ｒｅｑｕｅｓｔ」の情報要素の一例を示す図である。
【図４】本発明の第１の実施形態に係る移動通信システムの動作を説明するための図である。
【図５】本発明の第２の実施形態に係る移動通信システムの動作を説明するための図である。
【発明を実施するための形態】
【００１２】
（本発明の第１の実施形態に係る移動通信システム）
図１乃至図４を参照して、本発明の第１の実施形態に係る移動通信システムについて説明する。
【００１３】
本実施形態に係る移動通信システムは、ＬＴＥ方式の移動通信システムであって、図１に示すように、交換局ＭＭＥと、ゲートウェイ装置ＨｅＮＢ-ＧＷ＃１/ＨｅＮＢ-ＧＷ＃２と、無線基地局ＨｅＮＢ＃１/ＨｅＮＢ＃１１/ＨｅＮＢ＃２と、移動局ＵＥとを具備している。
【００１４】
図１に示すように、無線基地局ＨｅＮＢ＃１/ＨｅＮＢ＃１１は、ゲートウェイ装置ＨｅＮＢ-ＧＷ＃１に収容されており、無線基地局ＨｅＮＢ＃２は、ゲートウェイ装置ＨｅＮＢ-ＧＷ＃２に収容されている。
【００１５】
また、無線基地局ＨｅＮＢ＃１配下にセル＃１が設けられており、無線基地局ＨｅＮＢ＃１１配下にセル＃１１が設けられており、無線基地局ＨｅＮＢ＃２配下にセル＃２が設けられている。
【００１６】
また、ゲートウェイ装置ＨｅＮＢ-ＧＷ＃１及びゲートウェイ装置ＨｅＮＢ-ＧＷ＃２は、Ｘ２インターフェイスで接続されており、ゲートウェイ装置ＨｅＮＢ-ＧＷ＃１及び交換局ＭＭＥは、Ｓ１インターフェイスで接続されており、ゲートウェイ装置ＨｅＮＢ-ＧＷ＃２及び交換局ＭＭＥは、Ｓ１インターフェイスで接続されている。
【００１７】
また、ゲートウェイ装置ＨｅＮＢ-ＧＷ＃１及び無線基地局ＨｅＮＢ＃１/ＨｅＮＢ＃１１は、Ｘ２インターフェイス及びＳ１インターフェイスで接続されており、ゲートウェイ装置ＨｅＮＢ-ＧＷ＃２及び無線基地局ＨｅＮＢ＃２は、Ｘ２インターフェイス及びＳ１インターフェイスで接続されている。
【００１８】
以下、本実施形態に係る移動通信システムにおいて、移動局ＵＥが、セル＃１からセル＃２にハンドオーバを行うケースを例に説明する。
【００１９】
図２に示すように、本実施形態に係るゲートウェイ装置ＨｅＮＢ-ＧＷ（本実施形態では、ゲートウェイ装置ＨｅＮＢ-ＧＷ＃１）は、受信部１１と、記憶部１２と、送信部とを具備している。
【００２０】
受信部１１は、ハンドオーバ元セル（本実施形態では、セル＃１）を管理する無線基地局ＨｅＮＢ＃１から、セル＃２を一意に特定可能な「Ｔａｒｇｅｔ  ＣＧＩ（Ｃｅｌｌ  Ｇｌｏｂａｌ  Ｉｄｅｎｔｉｔｙ）＝１１０２０００１」及びセル＃２が属するトラッキングエリアを特定可能な「ＴＡＩ（Ｔｒａｃｋｉｎｇ  Ａｒｅａ  Ｉｄｅｎｔｉｔｙ）＝１２００」を含む「（Ｘ２）ＨＯ  Ｒｅｑｕｅｓｔ」を受信するように構成されている。
【００２１】
図３に、受信部１１によって受信される「Ｈａｎｄｏｖｅｒ  Ｒｅｑｕｅｓｔ」の情報要素の一例を示す。
【００２２】
図３に示すように、「Ｈａｎｄｏｖｅｒ  Ｒｅｑｕｅｓｔ」には、情報要素として、「Ｔａｒｇｅｔ  Ｃｅｌｌ  ＩＤ」や「Ｓｅｌｅｃｔｅｄ  ＴＡＩ」等が設定可能である。
【００２３】
ここで、「Ｔａｒｇｅｔ  Ｃｅｌｌ  ＩＤ」は、ハンドオーバ先セル（本実施形態では、セル＃２）の「ＥＣＧＩ」を示し、「Ｓｅｌｅｃｔｅｄ  ＴＡＩ」は、ハンドオーバ先セル（本実施形態では、セル＃２）が属するトラッキングエリアを特定可能な「ＴＡＩ」を示す。
【００２４】
記憶部１２は、図４に示すような「ＮＲＴ（Ｎｅｉｇｈｂｏｒ  Ｒｅｌａｔｉｏｎ  Ｔａｂｌｅ）」を記憶するように構成されている。例えば、「ＮＲＴ」には、図４に示すように、隣接する無線基地局ＨｅＮＢ配下のセルごとの「Ｔａｒｇｅｔ  ＰＣＩ（Ｐｈｙｓｉｃａｌ  Ｃｅｌｌ  Ｉｄｅｎｔｉｔｙ）」や「Ｔａｒｇｅｔ  ＥＣＧＩ（Ｅｎｈａｎｃｅｄ  ＣＧＩ）」や「ＴＡＩ」や「ＩＰアドレス」等が記憶されている。
【００２５】
送信部１３は、受信部１１によって送信された「（Ｘ２）ＨＯ  Ｒｅｑｕｅｓｔ」に含まれる「ＴＡＩ＝１２００」に対応するＩＰアドレス「ａａ．ｂｂ．ｃｃ．ｄｄ」によって特定されるゲートウェイ装置ＨｅＮＢ-ＧＷ＃２に対して、受信部１１によって送信された「（Ｘ２）ＨＯ  Ｒｅｑｕｅｓｔ」に含まれる「Ｔａｒｇｅｔ  ＣＧＩ＝１１０２０００１」を含む「（Ｘ２）ＨＯ  Ｒｅｑｕｅｓｔ」を送信するように構成されている。
【００２６】
以下、図４を参照して、本発明の第１の実施形態に係る移動通信システムの動作について、具体的には、本発明の第１の実施形態に係る移動通信システムにおいて、移動局ＵＥがセル＃１からセル＃２にＸ２ハンドオーバする場合の動作について説明する。
【００２７】
図４に示すように、ステップＳ１０１において、セル＃１で通信中の移動局ＵＥは、無線基地局ＨｅＮＢ＃１に対して、セル＃２を一意に特定可能な「Ｔａｒｇｅｔ  ＣＧＩ＝１１０２０００１」及びセル＃２が属するトラッキングエリアを特定可能な「ＴＡＩ＝１２００」を含む「Ｍｅａｓｕｒｅｍｅｎｔ  Ｒｅｐｏｒｔ」を送信する。
【００２８】
ステップＳ１０２において、無線基地局ＨｅＮＢ＃１は、移動局ＵＥのセル＃１からセル＃２へのＸ２ハンドオーバ手順を行うことを決定すると、ＩＰアドレス「ｉ．ｊ．ｋ．ｌ」によって特定されるゲートウェイ装置ＨｅＮＢ-ＧＷ＃１に対して、Ｘ２インターフェイスを介して、セル＃２を一意に特定可能な「Ｔａｒｇｅｔ  ＣＧＩ＝１１０２０００１」及びセル＃２が属するトラッキングエリアを特定可能な「ＴＡＩ＝１２００」を含む「（Ｘ２）ＨＯ  Ｒｅｑｕｅｓｔ」を送信する。
【００２９】
ここで、無線基地局ＨｅＮＢ＃１は、ハンドオーバ先セルを一意に特定可能な「Ｔａｒｇｅｔ  ＣＧＩ」によらず、ゲートウェイ装置ＨｅＮＢ-ＧＷ＃１に対して、「（Ｘ２）ＨＯ  Ｒｅｑｕｅｓｔ」を送信するように構成されている。
【００３０】
ステップＳ１０３において、ゲートウェイ装置ＨｅＮＢ-ＧＷ＃１は、ＮＲＴ（ＨｅＮＢ-ＧＷ＃１  Ｎｅｉｇｈｂｏｒ  Ｒｅｌａｔｉｏｎ  Ｔａｂｌｅ）を参照して、セル＃２が属するトラッキングエリアを特定可能な「ＴＡＩ＝１２００」に対応するＩＰアドレス「ａａ．ｂｂ．ｃｃ．ｄｄ」を抽出する。
【００３１】
そして、ゲートウェイ装置ＨｅＮＢ-ＧＷ＃１は、かかるＩＰアドレス「ａａ．ｂｂ．ｃｃ．ｄｄ」によって特定されるゲートウェイ装置ＨｅＮＢ-ＧＷ＃２に対して、Ｘ２インターフェイスを介して、セル＃２を一意に特定可能な「Ｔａｒｇｅｔ  ＣＧＩ＝１１０２０００１」を含む「（Ｘ２）ＨＯ  Ｒｅｑｕｅｓｔ」を送信する。
【００３２】
ステップＳ１０４において、ゲートウェイ装置ＨｅＮＢ-ＧＷ＃２は、ＮＲＴ（ＨｅＮＢ-ＧＷ＃２  Ｎｅｉｇｈｂｏｒ  Ｒｅｌａｔｉｏｎ  Ｔａｂｌｅ）を参照して、セル＃２を一意に特定可能な「Ｔａｒｇｅｔ  ＣＧＩ＝１１０２０００１」に対応するＩＰアドレス「ｍ．ｎ．ｏ．ｐ」を抽出する。
【００３３】
そして、ゲートウェイ装置ＨｅＮＢ-ＧＷ＃２は、かかるＩＰアドレス「ｍ．ｎ．ｏ．ｐ」によって特定される無線基地局ＨｅＮＢ＃２に対して、Ｘ２インターフェイスを介して、セル＃２を一意に特定可能な「Ｔａｒｇｅｔ  ＣＧＩ＝１１０２０００１」を含む「（Ｘ２）ＨＯ  Ｒｅｑｕｅｓｔ」を送信する。
【００３４】
その後、移動局ＵＥのセル＃１からセル＃２に対するＸ２ハンドオーバ手順が継続される。
【００３５】
本発明の第１の実施形態に係る移動通信システムによれば、ハンドオーバ元セルであるセル＃１を管理する無線基地局ＨｅＮＢ＃１が、ゲートウェイ装置ＨｅＮＢ-ＧＷ＃１に対して、セル＃２が属するトラッキングエリアを特定可能な「ＴＡＩ」を含む「（Ｘ２）ＨＯ  Ｒｅｑｕｅｓｔ」を送信するように構成されているため、ゲートウェイ装置ＨｅＮＢ-ＧＷ＃１は、かかる「ＴＡＩ」を用いて、ハンドオーバ先セルであるセル＃２を管理する無線基地局ＨｅＮＢ＃２を収容するゲートウェイ装置ＨｅＮＢ-ＧＷ＃２に対して、「（Ｘ２）ＨＯ  Ｒｅｑｕｅｓｔ」を送信することができる。
【００３６】
その結果、ハンドオーバ先セルを管理する無線基地局ＨｅＮＢ及びハンドオーバ元セルを管理する無線基地局ＨｅＮＢの双方が、異なるゲートウェイ装置ＨｅＮＢ-ＧＷに収容されている場合であっても、Ｘ２ハンドオーバを行うことができる。
【００３７】
（本発明の第２の実施形態に係る移動通信システム）
図５を参照して、本発明の第２の実施形態に係る移動通信システムについて説明する。以下、本発明の第２の実施形態に係る移動通信システムについて、上述の第１の実施形態に係る移動通信システムとの相違点に着目して説明する。
【００３８】
以下、図５を参照して、本発明の第２の実施形態に係る移動通信システムの動作について、具体的には、本発明の第２の実施形態に係る移動通信システムにおいて、移動局ＵＥがセル＃１からセル＃２にＸ２ハンドオーバする場合の動作について説明する。
【００３９】
図５に示すように、ステップＳ２０１において、セル＃１で通信中の移動局ＵＥは、無線基地局ＨｅＮＢ＃１に対して、セル＃２を一意に特定可能な「Ｔａｒｇｅｔ  ＣＧＩ＝１１０２０００１」を含む「Ｍｅａｓｕｒｅｍｅｎｔ  Ｒｅｐｏｒｔ」を送信する。
【００４０】
ステップＳ２０２において、無線基地局ＨｅＮＢ＃１は、移動局ＵＥのセル＃１からセル＃２へのＸ２ハンドオーバ手順を行うことを決定すると、ＩＰアドレス「ｉ．ｊ．ｋ．ｌ」によって特定されるゲートウェイ装置ＨｅＮＢ-ＧＷ＃１に対して、Ｘ２インターフェイスを介して、セル＃２を一意に特定可能な「Ｔａｒｇｅｔ  ＣＧＩ＝１１０２０００１」を含む「（Ｘ２）ＨＯ  Ｒｅｑｕｅｓｔ」を送信する。
【００４１】
ここで、無線基地局ＨｅＮＢ＃１は、ハンドオーバ先セルを一意に特定可能な「Ｔａｒｇｅｔ  ＣＧＩ」によらず、ゲートウェイ装置ＨｅＮＢ-ＧＷ＃１に対して、「（Ｘ２）ＨＯ  Ｒｅｑｕｅｓｔ」を送信するように構成されている。
【００４２】
ステップＳ２０３において、ゲートウェイ装置ＨｅＮＢ-ＧＷ＃１は、ＮＲＴ（ＨｅＮＢ-ＧＷ＃１  Ｎｅｉｇｈｂｏｒ  Ｒｅｌａｔｉｏｎ  Ｔａｂｌｅ）を参照して、セル＃２を一意に特定可能な「Ｔａｒｇｅｔ  ＣＧＩ＝１１０２０００１」に対応するＩＰアドレス「ａａ．ｂｂ．ｃｃ．ｄｄ」を抽出する。
【００４３】
ここで、図５に示すように、「ＮＲＴ（ＨｅＮＢ-ＧＷ＃１  Ｎｅｉｇｈｂｏｒ  Ｒｅｌａｔｉｏｎ  Ｔａｂｌｅ）」の「Ｔａｒｇｅｔ  ＥＣＧＩ」には、ハンドオーバ先セルの「ＥＣＧＩ」のサブネットプレフィックス「１１０２」を規定する情報「１１０２：：/４」が設定されている。
【００４４】
したがって、具体的には、ゲートウェイ装置ＨｅＮＢ-ＧＷ＃１は、ＮＲＴ（ＨｅＮＢ-ＧＷ＃１  Ｎｅｉｇｈｂｏｒ  Ｒｅｌａｔｉｏｎ  Ｔａｂｌｅ）を参照して、セル＃２を一意に特定可能な「Ｔａｒｇｅｔ  ＣＧＩ＝１１０２０００１」のサブネットプレフィックス「１１０２」に対応するＩＰアドレス「ａａ．ｂｂ．ｃｃ．ｄｄ」を抽出する。
【００４５】
そして、ゲートウェイ装置ＨｅＮＢ-ＧＷ＃１は、かかるＩＰアドレス「ａａ．ｂｂ．ｃｃ．ｄｄ」によって特定されるゲートウェイ装置ＨｅＮＢ-ＧＷ＃２に対して、Ｘ２インターフェイスを介して、セル＃２を一意に特定可能な「Ｔａｒｇｅｔ  ＣＧＩ＝１１０２０００１」を含む「（Ｘ２）ＨＯ  Ｒｅｑｕｅｓｔ」を送信する。
【００４６】
ステップＳ２０４において、ゲートウェイ装置ＨｅＮＢ-ＧＷ＃２は、ＮＲＴ（ＨｅＮＢ-ＧＷ＃２  Ｎｅｉｇｈｂｏｒ  Ｒｅｌａｔｉｏｎ  Ｔａｂｌｅ）を参照して、セル＃２を一意に特定可能な「Ｔａｒｇｅｔ  ＣＧＩ＝１１０２０００１」に対応するＩＰアドレス「ｍ．ｎ．ｏ．ｐ」を抽出する。
【００４７】
そして、ゲートウェイ装置ＨｅＮＢ-ＧＷ＃２は、かかるＩＰアドレス「ｍ．ｎ．ｏ．ｐ」によって特定される無線基地局ＨｅＮＢ＃２に対して、Ｘ２インターフェイスを介して、セル＃２を一意に特定可能な「Ｔａｒｇｅｔ  ＣＧＩ＝１１０２０００１」を含む「（Ｘ２）ＨＯ  Ｒｅｑｕｅｓｔ」を送信する。
【００４８】
その後、移動局ＵＥのセル＃１からセル＃２に対するＸ２ハンドオーバ手順が継続される。
【００４９】
本発明の第２の実施形態に係る移動通信システムによれば、ゲートウェイ装置ＨｅＮＢ-ＧＷ＃１は、無線基地局ＨｅＮＢ＃２から受信した「（Ｘ２）ＨＯ  Ｒｅｑｕｅｓｔ」に含まれる「Ｔａｒｇｅｔ  ＣＧＩ＝１１０２０００１」のサブネットプレフィックス「１１０２」に対応するＩＰアドレス宛てに、「Ｔａｒｇｅｔ  ＣＧＩ＝１１０２０００１」を含む「（Ｘ２）ＨＯ  Ｒｅｑｕｅｓｔ」を送信することによって、ハンドオーバ先セルであるセル＃２を管理する無線基地局ＨｅＮＢ＃２を収容するゲートウェイ装置ＨｅＮＢ-ＧＷ＃２に対して、「（Ｘ２）ＨＯ  Ｒｅｑｕｅｓｔ」を送信することができる。
【００５０】
その結果、ハンドオーバ先セルを管理する無線基地局ＨｅＮＢ及びハンドオーバ元セルを管理する無線基地局ＨｅＮＢの双方が、異なるゲートウェイ装置ＨｅＮＢ-ＧＷに収容されている場合であっても、Ｘ２ハンドオーバを行うことができる。
【００５１】
以上に述べた本実施形態の特徴は、以下のように表現されていてもよい。
【００５２】
本実施形態の第１の特徴は、ゲートウェイ装置ＨｅＮＢ-ＧＷ＃１（第１ゲートウェイ装置）に収容されている無線基地局ＨｅＮＢ＃１（第１無線基地局）配下のセル＃１（第１セル）からゲートウェイ装置ＨｅＮＢ-ＧＷ＃２（第２ゲートウェイ装置）に収容されている無線基地局ＨｅＮＢ＃２（第２無線基地局）配下のセル＃２（第２セル）に対する移動局ＵＥのハンドオーバ方法であって、無線基地局ＨｅＮＢ＃１が、ゲートウェイ装置ＨｅＮＢ-ＧＷ＃１に対して、セル＃２を一意に特定可能な「Ｔａｒｇｅｔ  ＣＧＩ（セル識別子）＝１１０２０００１」及びセル＃２が属するトラッキングエリアを特定可能な「ＴＡＩ（トラッキングエリア識別子）＝１２００」を含む「（Ｘ２）ＨＯ  Ｒｅｑｕｅｓｔ（ハンドオーバ要求信号）」を送信する工程と、ゲートウェイ装置ＨｅＮＢ-ＧＷ＃１が、「ＴＡＩ＝１２００」に対応するＩＰアドレス「ａａ．ｂｂ．ｃｃ．ｄｄ」によって特定されるゲートウェイ装置ＨｅＮＢ-ＧＷ＃２に対して、「Ｔａｒｇｅｔ  ＣＧＩ＝１１０２０００１」を含む「（Ｘ２）ＨＯ  Ｒｅｑｕｅｓｔ（ハンドオーバ要求信号）」を送信する工程と、ゲートウェイ装置ＨｅＮＢ-ＧＷ＃２が、「Ｔａｒｇｅｔ  ＣＧＩ＝１１０２０００１」に対応するＩＰアドレス「ｍ．ｎ．ｏ．ｐ」によって特定される無線基地局ＨｅＮＢ＃２に対して、「Ｔａｒｇｅｔ  ＣＧＩ＝１１０２０００１」を含む「（Ｘ２）ＨＯ  Ｒｅｑｕｅｓｔ（ハンドオーバ要求信号）」を送信する工程とを有することを要旨とする。
【００５３】
本実施形態の第２の特徴は、ゲートウェイ装置ＨｅＮＢ-ＧＷ＃１に収容されている無線基地局ＨｅＮＢ＃１配下のセル＃１からゲートウェイ装置ＨｅＮＢ-ＧＷ＃２に収容されている無線基地局ＨｅＮＢ＃２配下のセル＃２に対する移動局ＵＥのハンドオーバ方法であって、無線基地局ＨｅＮＢ＃１が、ゲートウェイ装置ＨｅＮＢ-ＧＷ＃１に対して、セル＃２を一意に特定可能な「Ｔａｒｇｅｔ  ＣＧＩ＝１１０２０００１」を含む「（Ｘ２）ＨＯ  Ｒｅｑｕｅｓｔ」を送信する工程と、ゲートウェイ装置ＨｅＮＢ-ＧＷ＃１が、「Ｔａｒｇｅｔ  ＣＧＩ＝１１０２０００１」に対応するＩＰアドレス「ａａ．ｂｂ．ｃｃ．ｄｄ」によって特定されるゲートウェイ装置ＨｅＮＢ-ＧＷ＃２に対して、「Ｔａｒｇｅｔ  ＣＧＩ＝１１０２０００１」を含む「（Ｘ２）ＨＯ  Ｒｅｑｕｅｓｔ」を送信する工程と、ゲートウェイ装置ＨｅＮＢ-ＧＷ＃２が、「Ｔａｒｇｅｔ  ＣＧＩ＝１１０２０００１」に対応するＩＰアドレス「ｍ．ｎ．ｏ．ｐ」によって特定される無線基地局ＨｅＮＢ＃２に対して、「Ｔａｒｇｅｔ  ＣＧＩ＝１１０２０００１」を含む「（Ｘ２）ＨＯ  Ｒｅｑｕｅｓｔ」を送信する工程とを有することを要旨とする。
【００５４】
本実施形態の第３の特徴は、ゲートウェイ装置ＨｅＮＢ-ＧＷ＃１に収容されている無線基地局ＨｅＮＢ＃１配下のセル＃１からゲートウェイ装置ＨｅＮＢ-ＧＷ＃２に収容されている無線基地局ＨｅＮＢ＃２配下のセル＃２に対する移動局ＵＥのハンドオーバ方法において、ゲートウェイ装置ＨｅＮＢ-ＧＷ＃１として機能するゲートウェイ装置ＨｅＮＢ-ＧＷであって、無線基地局ＨｅＮＢ＃１から、セル＃２を一意に特定可能な「Ｔａｒｇｅｔ  ＣＧＩ＝１１０２０００１」及びセル＃２が属するトラッキングエリアを特定可能な「ＴＡＩ＝１２００」を含む「（Ｘ２）ＨＯ  Ｒｅｑｕｅｓｔ」を受信するように構成されている受信部１１と、「ＴＡＩ＝１２００」に対応するＩＰアドレス「ａａ．ｂｂ．ｃｃ．ｄｄ」によって特定されるゲートウェイ装置ＨｅＮＢ-ＧＷ＃２に対して、「Ｔａｒｇｅｔ  ＣＧＩ＝１１０２０００１」を含む「（Ｘ２）ＨＯ  Ｒｅｑｕｅｓｔ」を送信するように構成されている送信部１３とを具備することを要旨とする。
【００５５】
本実施形態の第４の特徴は、ゲートウェイ装置ＨｅＮＢ-ＧＷ＃１に収容されている無線基地局ＨｅＮＢ＃１配下のセル＃１からゲートウェイ装置ＨｅＮＢ-ＧＷ＃２に収容されている無線基地局ＨｅＮＢ＃２配下のセル＃２に対する移動局ＵＥのハンドオーバ方法において、ゲートウェイ装置ＨｅＮＢ-ＧＷ＃１として機能するゲートウェイ装置ＨｅＮＢ-ＧＷであって、無線基地局ＨｅＮＢ＃１から、セル＃２を一意に特定可能な「Ｔａｒｇｅｔ  ＣＧＩ＝１１０２０００１」を含む「（Ｘ２）ＨＯ  Ｒｅｑｕｅｓｔ」を受信するように構成されている受信部１１と、「Ｔａｒｇｅｔ  ＣＧＩ＝１１０２０００１」に対応するＩＰアドレス「ａａ．ｂｂ．ｃｃ．ｄｄ」によって特定されるゲートウェイ装置ＨｅＮＢ-ＧＷ＃２に対して、「Ｔａｒｇｅｔ  ＣＧＩ＝１１０２０００１」を含む「（Ｘ２）ＨＯ  Ｒｅｑｕｅｓｔ」を送信するように構成されている送信部１３とを具備することを要旨とする。
【００５６】
なお、上述の交換局ＭＭＥや無線基地局ＨｅＮＢやゲートウェイ装置ＨｅＮＢ-ＧＷや移動局ＵＥの動作は、ハードウェアによって実施されてもよいし、プロセッサによって実行されるソフトウェアモジュールによって実施されてもよいし、両者の組み合わせによって実施されてもよい。
【００５７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、交換局ＭＭＥや無線基地局ＨｅＮＢやゲートウェイ装置ＨｅＮＢ-ＧＷや移動局ＵＥ内に設けられていてもよい。また、かかる記憶媒体及びプロセッサは、ディスクリートコンポーネントとして交換局ＭＭＥや無線基地局ＨｅＮＢやゲートウェイ装置ＨｅＮＢ-ＧＷや移動局ＵＥ内に設けられていてもよい。
【００５９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００６０】
ＭＭＥ…交換局
ＨｅＮＢ…無線基地局
ＨｅＮＢ-ＧＷ…ゲートウェイ装置
１１…受信部
１２…記憶部
１３…送信部
ＵＥ…移動局
【図１】
2011120110.tif 000003
【図２】
2011120110.tif 000004
【図３】
2011120110.tif 000005
【図４】
2011120110.tif 000006
【図５】
2011120110.tif 000007